(57)【特許請求の範囲】
【請求項１】
腰回りに巻回して止着し、骨盤を補強することができるベルト本体と、
前記ベルト本体の中央に取り付けられている縦枠と、
前記縦枠の左側に配置されると共に表裏の関係にある左縦枠と裏左縦枠と、
前記縦枠の右側に配置されると共に表裏の関係にある右縦枠と裏右縦枠と、
前記左縦枠と裏左縦枠との左方向に配置されると共に表裏の関係にある第２左縦枠と第２裏左縦枠と、
前記右縦枠と裏右縦枠との右方向に配置されると共に表裏の関係にある第２右縦枠と第２裏右縦枠と、
前記ベルト本体を引きつけるために、一方は前記ベルト本体の中央に取り付けられている縦枠に固定し、他方は第１環部を有する右腰締め付けベルトと、
前記ベルト本体を引きつけるために、一方は前記ベルト本体の中央に取り付けられている縦枠に固定し、他方は第２環部を有する左腰締め付けベルトと、
前記右腰締め付けベルトを引きつけるために、一方は前記ベルト本体に固定し、他方はベルト本体の端部と取り外し可能に構成され、さらに、前記右腰締め付けベルトにおける第１環部内に挿通された右作動ベルトと、
前記左腰締め付けベルトを引きつけるために、一方は前記ベルト本体に固定し、他方はベルト本体の端部と取り外し可能に構成され、さらに、前記左腰締め付けベルトにおける第２環部内に挿通された左作動ベルトと、を具備し、
前記ベルト本体は腰を補強し、通気性を有するメッシュ部と、
前記メッシュ部の両端にそれぞれ伸縮性を有する左伸縮部と右伸縮部と、を有し、
前記左伸縮部は、一対の上左側伸縮部材と、下左側伸縮部材と、をさらに有し、
前記上左側伸縮部材と、前記下左側伸縮部材との一端は、短手方向にずらして前記左縦枠と裏左縦枠の間に挟まれるように接続され、前記上左側伸縮部材と前記下左側伸縮部材との他端は、前記第２左縦枠と第２裏左縦枠の間において重なるように接続され、
前記右伸縮部は、一対の上右側伸縮部材と、下右側伸縮部材と、をさらに有し、
前記上右側伸縮部材と、前記下右側伸縮部材との一端は、短手方向にずらして前記右縦枠と裏右縦枠の間に挟まれるように接続され、
前記上右側伸縮部材と前記下右側伸縮部材との他端は、前記第２左縦枠と第２裏左縦枠の間において重なるように接続され、
前記右腰締め付けベルトにおける第１環部と、前記左腰締め付けベルトにおける第２環部とに、それぞれ接するように摺動部材を配置し、
前記摺動部材は、前記右腰締め付けベルトと、前記左腰締め付けベルトとに取り付けられている骨盤補強ベルト。
【発明の詳細な説明】
【技術分野】
【０００１】
本発明は、腰に巻きつけるベルトであり、特に骨盤を補強するベルトに関するものである。
【背景技術】
【０００２】
骨盤を引き締め、固定することによって腰への負担を軽減する腰ベルトが知られている。このようなものとして、特開２００７−１０５３０８号公報において、略帯状に形成され略中央部に所定長手方向大きさの背当て部を備えた第１ベルト部と、略帯状に形成されてそれぞれ前記第１ベルト部の正面側に配設された一対の第２ベルト部とを備えた腰痛防止用ベルトであって、前記第１ベルト部は、前記背当て部の両端部側には所定の長手方向大きさに形成され長手方向に向けて伸縮可能な弾性部をそれぞれ設けると共に前記弾性部の側部側には一定の長手方向大きさに形成された片部をそれぞれ設け、該片部の正面側略全域に第１係止部をそれぞれ設けると共に前記片部の少なくとも一方の背面側に前記第１係止部に係止される第２係止部を設け、前記第２ベルト部は、基部が前記背当て部の長手方向両端部近傍にそれぞれ固着されると共に先端部を前記片部側にそれぞれ伸延させた状態に配設され、前記先端部の背面側には前記第１係止部に係止される第３係止部をそれぞれ設けたことを特徴とする腰痛防止ベルトが開示されている。
【０００３】
上記発明の効果として、第１ベルト部の正面側に配設された一対の第２ベルト部を備えたことにより、第１ベルト部を装着者の腰部に装着したのちに、第２ベルト部を引っ張り、更に締め付けることができる。よって、腕力の乏しい者であっても簡易かつ確実に腰部に装着できて腰痛を防止するものとされている。
【０００４】
しかしながら、実際には、第１ベルト部を装着者の腰部に装着したのちに、第２ベルト部を引っ張ることについては、相当の力を必要とするものであり、特に女性や高齢者にとって容易ではない。
【先行技術文献】
【特許文献】
【０００５】
【特許文献１】特開２００７−１０５３０８号公報
【発明の概要】
【発明が解決しようとする課題】
【０００６】
本発明は前記の点に着目してなされたもので、その課題は、女性や高齢者のように、引締め力を十分に発揮することができない者であっても、容易に腰を引締める力を発揮することができる骨盤補強ベルトを提供することを課題とする。
【０００７】
第１観点における骨盤補強ベルトは、腰回りに巻回して止着し、骨盤を補強することができるベルト本体と、このベルト本体を引きつけるために、一方はベルト本体のほぼ中央に固定し、他方は第１環部を有する右腰締め付けベルトと、ベルト本体を引きつけるために、一方はベルト本体のほぼ中央に固定し、他方は第２環部を有する左腰締め付けベルトと、右腰締め付けベルトを引きつけるために、一方はベルト本体に固定し、他方はベルト本体の端部と取り外し可能に構成され、さらに、右腰締め付けベルトにおける第１環部内に挿通された右作動ベルトと、左腰締め付けベルトを引きつけるために、一方はベルト本体に固定し、他方はベルト本体の端部と取り外し可能に構成され、さらに、左腰締め付けベルトにおける第２環部内に挿通された左作動ベルトと、を具備するというものである。
【０００８】
第２観点における骨盤補強ベルトは、第１観点において、右腰締め付けベルトにおける第１環部と、左腰締め付けベルトにおける第２環部と、にそれぞれ摺動部材を配置したというものである。
【０００９】
第３観点における骨盤補強ベルトは、第１観点または第２観点において、ベルト本体は通気性を有するメッシュ部と、メッシュ部の両端にそれぞれ伸縮性を有する左伸縮部と右伸縮部というものである。
【発明の効果】
【００１０】
本発明によれば、女性や高齢者のように、引締め力を十分に発揮することができない者であっても、容易に腰を引締める力を発揮することができる骨盤補強ベルトを提供することができる。
【図面の簡単な説明】
【００１１】
【図１】本実施例における骨盤補強ベルトの正面図。
【図２】本実施例における骨盤補強ベルトの背面図。
【図３】作動ベルトを固定しない状態における骨盤補強ベルトの正面図。
【図４】骨盤補強ベルトの装着を開始した状態の正面図。
【図５】骨盤補強ベルトにおけるベルト本体を装着した状態の正面図。
【図６】骨盤補強ベルトにおけるベルト本体を装着した状態の背面図。
【図７】骨盤補強ベルトにおける作動ベルトをひきつけて固定した状態の正面図。
【図８】骨盤補強ベルトにおける作動ベルトをひきつけて固定した状態の背面図。
【発明を実施するための形態】
【００１２】
本実施例における骨盤補強ベルト１０は、ほぼ左右対称であり（図１参照）、ベルト本体２０と、腰回りを締め付けることができる左腰締め付けベルト３０Ｌと右腰締め付けベルト３０Ｒとを有している。また、左腰締め付けベルト３０Ｌと、右腰締め付けベルト３０Ｒと、の一端はベルト本体２０に配置された縦枠４０に接続され、他端は、それぞれ第１環部５０Ｌと第２環部５０Ｒとを有する。尚、後述するように縦枠４０は、ベルト本体２０の中央に取り付けられているが、左腰締め付けベルト３０Ｌと、右腰締め付けベルト３０Ｒと、の一端はこれに取り付けられていなくても、ベルト本体２０に取り付けられていればよい。また、左腰締め付けベルト３０Ｌと右腰締め付けベルト３０Ｒは、伸縮可能な帯状の布類で構成されている。なお、骨盤補強ベルト１０をほぼ左右対称としたのは、本実施例において、後述する右側メッシュ部２６Ｒの端部に雄側止着部２５を有している点が、後述する左側メッシュ部２６Ｌと相違しているからである（図２参照）。また、本実施例においては、左腰締め付けベルト３０Ｌと右腰締め付けベルト３０Ｒは、それぞれ２重に構成されている。このように、左腰締め付けベルト３０Ｌと右腰締め付けベルト３０Ｒをそれぞれ２重に構成することで、骨盤を確実に固定することができる。なお、これらは、伸縮性を有するナイロンまたはポリウレタンを使用することができる。
【００１３】
ベルト本体２０の中央部はメッシュ部２１と、その両脇に左伸縮部２３Ｌと、右伸縮部２３Ｒと、を有し、前記左伸縮部２３Ｌの左端部に雌側左止着部２４Ｌを有している。また、右伸縮部２３Ｒの右端部に雌側右止着部２４Ｒを有している。ベルト本体２０は、使用者の腰回りに巻きつけるために長手方向Ｈに十分な長さを有するほぼ帯状を呈し、メッシュ部２１は、短手方向Ｖに幅広な構成である。また、上述の前記縦枠４０は、メッシュ部２１のほぼ中央に配置している。
【００１４】
メッシュ部２１は、左縦枠４１Ｌと右縦枠４１Ｒの間に配置されている。また、さらに左縦枠４１Ｌと右縦枠４１Ｒの間については、メッシュ部２１の裏側から裏メッシュ部２２を重ねて配置している。すなわち、裏左縦枠４３Ｌと裏右縦枠４３Ｒの間に、裏メッシュ部２２を配置している（図２参照）。また、裏左縦枠４３Ｌと裏右縦枠４３Ｒの中央には裏縦枠４２を配置している。従って、左縦枠４１Ｌと右縦枠４１Ｒの間については、メッシュ部２１に裏メッシュ部２２を縫着した２重構造となる。また、縦枠４０と裏縦枠４２、左縦枠４１Ｌと裏左縦枠４３Ｌ、右縦枠４１Ｒと裏右縦枠４３Ｒは表裏の関係である。さらに後述する第２左縦枠４４Ｌと第２裏左縦枠４５Ｌ、第２右縦枠４４Ｒと第２裏右縦枠４５Ｒは表裏の関係である。
【００１５】
また、メッシュ部２１に裏メッシュ部２２を縫着した２重構造であり、これらは、メッシュ構造を有する布材を張ることによって通気性を確保している。なお、裏メッシュ部２２は、骨盤補強ベルト１０を装着した際に腰と直接触れるところであり、あたりを和らげるために当該メッシュ部２１と裏メッシュ部２２の間にクッション性を有する緩衝材を入れることができる。例えばウレタン類あるいはスポンジ類を配置することができる。また、裏メッシュ部２２を、いわゆるダブルラッセル織とし、クッション性を有するように構成することも好ましい。
【００１６】
また左縦枠４１Ｌと第２左縦枠４４Ｌの間に配置されている左伸縮部２３Ｌと、右縦枠４１Ｒと第２右縦枠４４Ｒの間に配置されている右伸縮部２３Ｒは、強力な弾力性を有する伸縮可能な部分である。従って、左伸縮部２３Ｌおよび右伸縮部２３Ｒは弾力性に基づく緊締力で腰部を固定して補強することができるように、ベルト本体長手方向Ｈに伸縮可能な弾力性を有する布材を張設して形成されており、布材の弾力性による緊締力は、後述する雌側左止着部２４Ｌの任意の位置に止着した雄側止着部２５を介し、左伸縮部２３Ｌおよび右伸縮部２３Ｒの弾力性による緊締力によって腰周りを保護することができる。従って、このように、ベルト本体２０は、使用者の腰回りに巻回して止着することができる。従って、ベルト本体２０によって骨盤を補強するとともに、その骨盤を安定させることができる。
【００１７】
左伸縮部２３Ｌは、一対の上左側伸縮部材２３Ｌａと、下左側伸縮部材２３Ｌｂと、を有している。また、この上左側伸縮部材２３Ｌａと、下左側伸縮部材２３Ｌｂとの一端は、それぞれ重ならないように短手方向Ｖにずらして左縦枠４１Ｌと裏左縦枠４３Ｌの間に挟まれるように接続され、前記上左側伸縮部材２３Ｌａと、下左側伸縮部材２３Ｌｂと、の他端は、第２左縦枠４４Ｌと第２裏左縦枠４５Ｌの間においてそれぞれ、重なるように接続されている。
【００１８】
また同様に、右伸縮部２３Ｒは、一対の上右側伸縮部材２３Ｒａと、下右側伸縮部材２３Ｒｂと、を有している。また、この上右側伸縮部材２３Ｒａと、下右側伸縮部材２３Ｒｂとの一端は、それぞれ重ならないように短手方向Ｖにずらして右縦枠４１Ｒと裏右縦枠４３Ｒの間に挟まれるように接続され、前記上伸縮部材２３Ｒａと、下右側伸縮部材２３Ｒｂと、の他端は、第２右縦枠４４Ｒと第２裏右縦枠４５Ｒの間においてそれぞれ、重なるように接続されている。このように上左側伸縮部材２３Ｌａと、下左側伸縮部材２３Ｌｂとの一端と、上右側伸縮部材２３Ｒａと、下右側伸縮部材２３Ｒｂとの一端は、それぞれ重ならないように短手方向Ｖにずらしているので、腰を包み込むことができる。なお、これらは、伸縮性を有するナイロンまたはポリウレタンとすることが好ましい。
【００１９】
上記第２左縦枠４４Ｌの外側に雌側左止着部２４Ｌが配置され、第２右縦枠４４Ｒの外側に雌側右止着部２４Ｒが配置されている（図１参照）。それらは、ともに雌側面ファスナーで構成されており、長手方向Ｈに一定の長さを有している。また、第２裏左縦枠４５Ｌの外方には、左側メッシュ部２６Ｌを有し通気性を確保している。同様に、第２裏右縦枠４５Ｒの外方には、右側メッシュ部２６Ｒを有し通気性を確保している。また、右側メッシュ部２６Ｒの端部には、雄側止着部２５を有している。これは雄側面ファスナーで構成され、前記雌側左止着部２４Ｌにおける、雌側面ファスナーに着脱可能に止着することができる。この場合、使用者の腰回りのサイズに応じて前記雌側左止着部２４Ｌにおける任意の位置に前記雄側止着部２５を止着することができることはいうまでもない。
【００２０】
なお、雄側面ファスナーとは細かい複数のフック状の部材を設けた周知のものであり、雌側面ファスナーとは細かい多数のループ状の部材を設けた周知のものであり、それらが逆であるか、または、フックとループの混合したものであっても好ましい。
【００２１】
左作動ベルト６０Ｌの一端６０Ｌａは、ベルト本体２０における第２左縦枠４４Ｌに固定される。また、当該左作動ベルト６０Ｌは、前記第１環部５０Ｌに移動自由に挿通する。すなわち、第１環部５０Ｌにおいて、左作動ベルト６０Ｌが挿し通されている。また、同様に右作動ベルト６０Ｒの一端６０Ｒａは、ベルト本体２０における第２左縦枠４４Ｒに固定される。また、当該右作動ベルト６０Ｒは、第２環部５０Ｒに移動自由に挿通する。すなわち、第２環部５０Ｒにおいて、右作動ベルト６０Ｒが挿し通されている。尚、図３において、理解容易のため、当該右作動ベルト６０Ｒを、第２環部５０Ｒの環状部５１に挿通すべきところ、これから外した状態を図示している。
【００２２】
また、左作動ベルト６０Ｌの他端６０Ｌｂの裏面には、雄側面ファスナーからなる止着部６１Ｌを配置している。同様に、右作動ベルト６０Ｒの他端６０Ｒｂの裏面には、雄側面ファスナーからなる止着部６１Ｒを配置している（図４参照）。この、止着部６１Ｌと止着部６１Ｒはそれぞれ、ベルト２０における両端に配置された、雌側左止着部２４Ｌと雌側右止２４Ｒと、においてそれぞれ取り外し可能に止着することができる。また、左作動ベルト６０Ｌの一端６０Ｌａ付近に、左作動ベルト雌側面ファスナー６２Ｌを配置している（図３参照）。同様に、右作動ベルト６０Ｒの一端６０Ｒａ付近に、右作動ベルト雌側面ファスナー６２Ｒを配置している。なお、左作動ベルト６０Ｌと右作動ベルト６０Ｒは、ともに伸縮性を有しないほうが好ましい。尚、滑り止めのために左作動ベルト６０Ｌの他端６０Ｌｂと右作動ベルト６０Ｒの他端６０Ｒｂに、面ファスナーが配置されている。これは雌側面ファスナーが好ましい。
【００２３】
また、前記第１環部５０Ｌと第２環部５０Ｒは、上述のとおり伸縮性を有する左腰締め付けベルト３０Ｌと右腰締め付けベルト３０Ｒと、の他端に配置され、左作動ベルト６０Ｌと右作動ベルト６０Ｒがそれぞれ前記第１環部５０Ｌと第２環部５０Ｒに挿通され、移動可能に配置されている。また、前記第１環部５０Ｌと第２環部５０Ｒには、それぞれ摺動部材７０、７０が配置されている。これについては後述する。前記第１環部５０Ｌと第２環部５０Ｒは高弾性、耐摩耗性に優れたポリアセタールが好ましい。
【００２４】
上記骨盤補強ベルト１０を構成するベルト本体２０において、左腰締め付けベルト３０Ｌと、第１環部５０Ｌと、左作動ベルト６０Ｌの一端６０Ｌａと、腰締め付けベルト３０Ｒと、第２環部５０Ｒと、右作動ベルト６０Ｒの一端６０Ｒａとは、以下の通り配置されている。すなわち、図１において、左から右へ順に、ベルト本体２０に固定された左作動ベルト６０Ｌの一端６０Ｌａと、左腰締め付けベルト３０Ｌの他端に配置した第１環部５０Ｌと、ベルト本体２０に取り付けた左腰締め付けベルト３０Ｌの一端と、ベルト本体２０に取り付けた右腰締め付けベルト３０Ｒの一端と、右腰締め付けベルト３０Ｒの他端に配置した第２環部５０Ｒと、ベルト本体２０に固定された右作動ベルト６０Ｒの一端６０Ｒａと、がそれぞれ配置されている。従って、この順が好ましく、多少配置がずれていてもよい。たとえば、ベルト本体２０に取り付けた左腰締め付けベルト３０Ｌの一端とベルト本体２０に取り付けた右腰締め付けベルト３０Ｒの一端とは、ベルト本体２０の中央に配置されていることが好ましいが、上記の順に従うならば、それらが中央からずれていてもよい。従って、ほぼ中央に配置するとは、上記の順に従って、ベルト本体２０に取り付けた左腰締め付けベルト３０Ｌの一端と、ベルト本体２０に取り付けた右腰締め付けベルト３０Ｒの一端と、が配置されているという意味である。もっとも、左腰締め付けベルト３０Ｌの一端と、ベルト本体２０に取り付けた右腰締め付けベルト３０Ｒの一端とは互いに重なるように配置しても好ましい。
【００２５】
上記構成の骨盤補強ベルト１０を使用者の腰回りに取り付ける（図４参照）。このときに、雌側右止着部２４Ｒの裏側の端部に配置している雄側止着部２５を雌側左止着部２４Ｌに引きつける。この場合、左伸縮部２３Ｌおよび右伸縮部２３Ｒを引き伸ばすことができる。よって上記のとおり、左伸縮部２３Ｌおよび右伸縮部２３Ｒは強力な弾力性を有する伸縮可能部分であり、それらの弾力性に基づく緊締力で、腰部を締め付けて固定することができる。
【００２６】
このように骨盤補強ベルト１０を腰回りに取り付ける（図５、６参照）。その後、左作動ベルト６０Ｌの他端６０Ｌｂと、右作動ベルト６０Ｒの他端６０Ｒｂと、をそれぞれ手に持ち、後述の方向に引っ張る。これらによりベルト本体２０を引きつけることができる。
【００２７】
左作動ベルト６０Ｌの一端６０Ｌａは、ベルト本体２０の中央の縦枠４０の左側に配置した第２左縦枠４４Ｌに固定されているので、左作動ベルト６０Ｌの他端６０Ｌｂを矢印Ｌ方向に引くと（図６参照）、第１環部５０Ｌが、矢印Ｌ方向に引っ張られる。この場合、左作動ベルト６０Ｌは、第１環部５０Ｌに移動自由に挿通されているので、前記第１環部５０Ｌがいわば動滑車のような役割を果たす。従って、前記第１環部５０Ｌに固定されている左腰締め付けベルト３０Ｌが、前記第１環部５０Ｌの移動により、その伸縮力を補強するように伸ばされ、それにより腰回りを締め付ける力を発揮することにより腰部をさらに引き締めることができる。また、前記左作動ベルト６０Ｌの他端６０Ｌｂの裏面の雄側面ファスナーからなる止着部６１Ｌを、雌側左止着部２４Ｌに止着することで締め付けた状態を維持することができる。
【００２８】
また、同様に、右作動ベルト６０Ｒの一端６０Ｒａは、ベルト本体２０の中央の縦枠４０の右側に配置した第２右縦枠４４Ｒに固定されているので、右作動ベルト６０Ｒの他端６０Ｒｂを矢印Ｒ方向に引くと（図６参照）、第２環部５０Ｒが、矢印Ｒ方向に引っ張られる。この場合、右作動ベルト６０Ｒは、第２環部５０Ｒに移動自由に挿通されているので、前記第２環部５０Ｒがいわば動滑車のような役割を果たす。従って、前記第２環部５０Ｒに固定されている右腰締め付けベルト３０Ｒが、前記第２環部５０Ｒの移動により、その伸縮力を補強するように伸ばされ、それにより腰回りを締め付ける力を発揮することにより腰部をさらに引き締めることができる。また、前記右作動ベルト６０Ｒの他端６０Ｒｂの裏面の雄側面ファスナーからなる止着部６１Ｒを雌側右止着部２４Ｒに止着することで締め付けた状態を維持することができる。従って、このような構成により腰回りを、確実に補強することができる。なお、腰周りを必要以上に圧迫しないために、前記左作動ベルト６０Ｌの他端６０Ｌｂの裏面の雄側面ファスナーからなる止着部６１Ｒを、右作動ベルト雌側面ファスナー６２Ｒに止めることもできる。
【００２９】
上述のように、第１環部５０Ｌおよび第２環部５０Ｒが、いわば動滑車と同様の役割を有することから、左作動ベルト６０Ｌおよび右作動ベルト６０Ｒを、引っ張る力が半減され、力のない、女性や高齢者でも容易に腰を引き締めて補強することができる。
【００３０】
また、本実施例においては、前記第１環部５０Ｌおよび第２環部５０Ｒに、それぞれ摺動部材７０、７０が接するように配置されている。これにより、左作動ベルト６０Ｌを引っ張る際に第１環部５０Ｌは、摺動部材７０を介して左伸縮部２３Ｌと接するためその摩擦力が軽減される。同様に、右作動ベルト６０Ｒを引っ張る際に第２環部５０Ｒは、摺動部材７０を介して右伸縮部２３Ｒとの摩擦力が軽減される。従って、よりスムーズに左作動ベルト６０Ｌと右作動ベルト６０Ｒを引っ張ることができる。また、摺動部材７０、７０はポリウレタンが好ましく、着用時に、左腰締め付けベルト３０Ｌおよび右腰締め付けベルト３０Ｒを伸ばした際おいて、この、左腰締め付けベルト３０Ｌおよび右腰締め付けベルト３０Ｒがよじれないという効果をも奏するのである。また、上記摺動部材７０、７０は、それぞれ、前記第１環部５０Ｌおよび第２環部５０Ｒに接するように、左腰締め付けベルト３０Ｌと右腰締め付けベルト３０Ｒにそれぞれ取り付けることもできる。
【００３１】
また、前記のとおり、この一対の上左側伸縮部材２３Ｌａと、下左側伸縮部材２３Ｌｂとの一端は、左縦枠４１Ｌにおいて、それぞれ重ならないように短手方向Ｖにずらして接続されている。また、一対の上右側伸縮部材２３Ｒａと、下右側伸縮部材２３Ｒｂとの一端は、右縦枠４１Ｒにおいて、それぞれ重ならないように短手方向Ｖにずらして接続されている。したがって、それぞれ重ならないように短手方向Ｖにずらしたことで腰を包み込むように骨盤補強ベルト１０を使用することができる。
【符号の説明】
【００３２】
１０、骨盤補強ベルト
２０、ベルト本体
２１、メッシュ部
２２、裏メッシュ部
２３Ｌ、左伸縮部
２３Ｒ、右伸縮部
２４Ｌ、雌側左止着部
２４Ｒ、雌側右止着部
２５、雄側止着部
３０Ｌ、左腰締め付けベルト
３０Ｒ、右腰締め付けベルト
４０、縦枠
４１Ｌ、左縦枠
４１Ｒ、右縦枠
４２、裏縦枠
４３Ｌ、裏左縦枠、
４３Ｒ、裏右縦枠
４４Ｌ、第２左縦枠
４４Ｒ、第２右縦枠
５０Ｌ、第１環部
５０Ｒ、第２環部
６０Ｌ、左作動ベルト
６０Ｒ、右作動ベルト
７０、摺動部材
【図１】
0006757161.tif 000002
【図２】
0006757161.tif 000003
【図３】
0006757161.tif 000004
【図４】
0006757161.tif 000005
【図５】
0006757161.tif 000006
【図６】
0006757161.tif 000007
【図７】
0006757161.tif 000008
【図８】
0006757161.tif 000009